(57)【要約】      （修正有）【課題】豚、牛、羊等の家畜に水を与えるのに好適な家畜用給水具及びそれを取り付ける家畜用給水具ジョイントを提供する。【解決手段】この押しベラ式飲水器の押しベラ部分のみを取り外し、家畜用給水具ジョイントを介し給水具を取付、機械部分の構造を無くし、給水器のみで水を供給する。これにより、器具全体を換えるより費用が掛からず経済的である。既設の押しベラ構造を簡単に取替える事により、本家畜用給水具ジョイントを介して取り付けた給水具によって、力の無い幼牛家畜でも問題なく飲水できる。【選択図】図１１
0003158602.tif 000002
【実用新案登録請求の範囲】
【請求項１】
中央部に軸方向に流通孔部を穿設し、その流通孔の中央部は少し狭くし、上端部の外側と内側には螺子部を螺刻してなる中央筒状部材に、上端部より輪状のゴム又はシリコンゴム製のパッキンを挿入し、トラス頭型ボルトの柄の長い形状の棒状作用部材を流通孔に挿入し、その上から金属製スプリングを入れ、スリーブ状で流通孔を有し外部に螺子部を螺刻した雄螺子部材でスプリングを押さえ、中央筒状部材の下に棒状作用部材の柄の長い部分が出た所から、ゴムリングを入れ中央筒状部材の下部くぼみに嵌め、筒状の下部筒状部材をかぶせ、下から中央に貫通孔を有し、その回りに蓮根の様に貫通孔の有る筒押さえを圧入し、ナイロンナットで固定した物を給水具とし、その上端部をL字型筒状の繋ぎ手の片方と螺合させる事ができる事を特徴とする家畜用給水具ジョイント。
【請求項２】
前記家畜用給水具ジョイントは、給水器に取り付ける場合、L字型筒状の繋ぎ手の外側に取り付けネジ穴を有する押さえ金具が出ている事を特徴とする請求項１に記載の家畜用給水具ジョイント。
【考案の詳細な説明】
【技術分野】
【０００１】
本発明は、豚、牛、羊等の家畜に水を与えるのに好適な家畜用給水具及びそれを取り付けた家畜用給水器に関するものである。
【背景技術】
【０００２】
豚、牛、羊等の家畜に水を与えるための給水具として、従来、図1や図2 に示すように、水の出る部分を押しベラ式にして図3の給水バルブの接点(2a)を押して給水する物であった。長期間使用すると、図１や図2  押しベラの支点(1)及び、図3 給水バルブの接点(2a)  が磨耗して故障の原因となった。また、牛舎等では干草等が飲水カップに入り、その重みで押しベラカッブの押しベラ(3)を下げ、常に水が出っぱなしになる事故が発生している。
この事故を防ぐために、より一層押しベラのバネ図3(2b)を強くし、戻る力を多く備えなければならなかった。その為、仔牛等は力が無く自力で飲む事が出来ない。
尚且つ、押しベラ式の飲水カップでは、前からの一方向から押す時しか出水しないため、牛等が飼育室の策から首を出して飲む場合、横からしか押せないので上手く水を飲む事が出来なかった。
【先行技術文献】
【特許文献】
【０００３】
【特許文献１】特開２００４−３３７０６０号
【特許文献２】実開平1−１０１３４６号
【考案の概要】
【考案が解決しようとする課題】
【０００４】
従来の押しベラ式図1 図2 図3の飲水器カップは、押しベラ部分(3)の支点稼動部(1)が磨耗して破損事故が多々発生した。また、押しベラにより出水口図3(5) の給水バルブの接点(2a)及びその可動部が磨耗して水漏れの原因となっていた。この押しベラ式飲水器の押しベラ部分のみを取り外し、本案の家畜用給水具ジョイント(70)を介して給水具を取付、機械部分の構造を無くし、給水具のみで水を供給する。また、牛舎の構造から、牛等は飲水時に、横から飲水する為、従来式の押しベラ式カップは、前方向からの一方向から押さないと水が出ないため、仔牛が飲水出来ない難があった。
【課題を解決するための手段】
【０００５】
図3従来の押しベラ式の飲水器の押しベラ部分(3)を取り外し、給水バルブ(2)を取り外し露出した図4出水口(5)に、図８の家畜用給水具ジョイント(70)を介して給水具を取付ける。
【考案の効果】
【０００６】
上記述の様に、押しベラ部分のみを取り替える事により、器具全取替えをしなくとも、その構造を押しベラ式から、給水具式に変える事ができる。
既設の押しベラ構造を簡単に取替える事により、本案の、家畜用給水具ジョイント(70)を介して取り付けた給水具によって、力の無い幼牛家畜でも問題なく飲水できる。
給水具本体下部が、振り子の様に軽く、360度、如何なる方向から触れても出水するので、小家畜が飲水できる構造である。特に幼家畜が楽に飲水できる。
【図面の簡単な説明】
【０００７】
【図１】従来の押しベラ式飲水器の傾斜図
【図２】従来の押しベラ式飲水器の傾斜図その2
【図３】従来の押しベラ式飲水器の給水部の断面を示した図
【図４】従来の押しベラ式飲水器の押しベラを取り除いた図
【図５】本考案の家畜用給水具の傾斜図
【図６】本考案の給水具の断面図及び部分拡大図
【図７】本考案の家畜用給水具ジョイントと給水具を取付けた傾斜図
【図８】本考案の家畜用給水具ジョイントと給水具を組み合わせ図
【図９】従来の押しベラ式飲水器の給水部を取外し、家畜用給水具ジョイントを設けた図
【図１０】従来の押しベラ式飲水器の給水部を取外し、家畜用給水具ジョイントと給水具を螺子部を有するジョイントを介して取り付ける所を示した図
【図１１】従来の押しベラ式飲水器の給水部を取外し、家畜用給水具ジョイントと給水具をネジ留めで取り付ける所を示した図
【図１２】本考案の家畜用給水具ジョイントと給水具を飲水カップに付け、家畜が飲水している図
【考案を実施するための形態】
【０００８】
以下、本考案の家畜用給水具ジョイントの好適な実施形態について、図面を参照して詳細に説明する。
【０００９】
本考案の家畜用給水具ジョイント図8(70)は、図5 に示すように、中央筒状部材(20) 、棒状作用部材(60) 、下部筒状部材(30) 、雄螺子部材(40)、から構成されている給水具を取り付ける、L字型筒状の繋ぎ手である。また、この繋ぎ手は構造体外側にネジ固定できる留め穴を有するものも有る。
【００１０】
給水具は、図６の中央筒状部材(20)は、中央部に軸方向に流通孔部を穿設し、その流通孔の中央部は少し狭くなっている(20a)、上端部の外側(20b)と内側(20c)には螺子部を螺刻する。
中央筒状部材(20)の流通孔内にパッキン(61)を挿入し、棒状作用部材(60)を流通孔入れ、(20a)を貫通して下部に出す。棒状作用部材(60)の上にスプリング(50)を入れ、雄螺子部材(40)でスプリングを押さえ、中央筒状部材(20)上部と螺合する。
中央筒状部材の下に棒状作用部材の柄の長い部分が出た所から、ゴムリング(30a)を入れ中央筒状部材(20)の下部くぼみに嵌め、筒状の下部筒状部材(30)をかぶせ、下から中央に貫通孔を有し、その回りに蓮根の様に貫通孔の有る筒押さえ(31)を圧入し、ナイロンナット(62)で固定する。
この給水具の上部(20b)と図8の家畜用給水具ジョイント(70)と螺合する。
この家畜用給水具ジョイントを押しベラ式飲水器カップ図4の出水口(5)に取り付ける。
家畜用給水具ジョイント(70)は、ネジ留め穴のあるジョイント(70a)(70b)なども有る。
【００１１】
又、給水具においては、図6 棒状作用部材(60)、下部筒状部材(30)が一体となった箇所を、牛等の家畜が鼻、口等によって前後左右方向に押圧すれば、棒状作用部材(60)及びパッキン(61)が傾き、パッキン(61)から全部又は一部離反して水が流れる。
家畜が飲水を止めると、スプリング(50)の力と水の圧力により棒状作用部材(60)が直状に戻り出水が止まる。
図4では、押しベラ式飲水器具の押しベラを取り外し、出水口が露出した状態。
図7では、図4で露出した出水口に家畜用給水具ジョイント(70)を介して給水具を取り付けた状態を示す。
図9では、押しベラ式飲水器具の押しベラを取り外し、出水口に螺刻が無い場合は、ネジ留め穴のある家畜用給水具ジョイント(70a)を介して給水具を固定する例。(71)は水漏れ防止のゴムパッキンである。
図10では、押しベラ式飲水器具の押しベラを取り外し、出水口の径が異なる場合、外側に螺子部のある家畜用給水具ジョイント(70)を介して給水具を取り付けする。
図11では、押しベラ式飲水器具の押しベラを取り外し、出水口の径が異なり、螺子部が無い場合、取り付けネジ穴の有る家畜用給水具ジョイント(70b)を介して給水具を取り付けする。
【００１２】
本発明が過去のものと異なる点は、特開２００４−３３７０６０と比較した場合、本発明は、出水口(5)の径が異なる場合、家畜用給水具ジョイントを介して取り付ける事ができる構造が特徴である。
また、図6に示す給水具のゴムリング(30a)により、水が上に飛び出さない様に防止した構造に特徴がある。給水圧が高い場合、筒押さえ(31)から水が出ききれず、ゴムリング(30a)がないと、上に飛び出してしまう。
【実施例】
【００１３】
以下添付図面に従って説明する。
図6  中央筒状部材(20)の中央部に軸方向に流通孔部を穿設し、その流通孔の中央部は少し狭くなっている(20a)、上端部の外側(20b)と内側(20c)には螺子部を螺刻する。
中央筒状部材(20)の流通孔内にパッキン(61)を挿入し、棒状作用部材(60)を流通孔入れ、(20a)を貫通して下部に出す。棒状作用部材(60)の上にスプリング(50)を入れ、雄螺子部材(40)でスプリングを押さえ、中央筒状部材(20)上部と螺合する。中央筒状部材の下に棒状作用部材の柄の長い部分が出た所から、ゴムリング(30a)を入れ中央筒状部材(20)の下部くぼみに嵌め、筒状の下部筒状部材(30)をかぶせ、下から中央に貫通孔を有し、その回りに蓮根の様に貫通孔の有る筒押さえ(31)を圧入し、ナイロンナット(62)で固定する。
この給水器の上部(20b)と家畜用給水具ジョイント図8(70)と螺合する。
【００１４】
本発明の家畜用給水具ジョイント(70)は、図5 に示すように、中央筒状部材(20) 、棒状作用部材(60) 、下部筒状部材(30) 、雄螺子部材(40)、から構成されている給水具を取り付ける、L字型筒状の繋ぎ手である。また、この繋ぎ手は中間にネジで固定できる留め穴を有するものも有る図８(70a)(70b)。
【００１５】
図3は、従来の押しベラ式の給水器の給水部分を抜粋した断面を示したものである。
【００１６】
図7  下部筒状部材(30)を牛等の家畜が鼻先、口でゆすると出水する。下部筒状部材(30)は前後左右360゜自由に可動する状態に、ナイロンナット(62)で固定する。
【００１７】
図８  給水具を取り付ける、L字型筒状の繋ぎ手である。また、この繋ぎ手は中間にネジで固定できる留め穴を有するものもある(70a)(70b)。
【００１８】
図１２  牛等の家畜が牛舎の策から首を出し、鼻先で下部筒状部材(30)をゆすり、出てきた水を飲んでいる予想図。
【符号の説明】
【００１９】
1  押しベラの支点
2  給水バルブ
2a 給水バルブの接点
2b給水バルブバネ
3  押しベラ
5  出水口
6  給水管口
6a 給水管
7  支点心棒
8  受水槽
20  中央筒状部材
20a  狭くなっている
20b  上端部外側雄螺子
20c  上端部内側雌螺子
30  下部筒状部材
31  筒押さえ
30a ゴムリング
40  雄螺子部材
50  スプリング
60  棒状作用部材
61  パッキン
62  ナイロンナット
70   給水具ジョイント
70a  ネジ留め穴のあるジョイント
70b  ネジ留め穴のあるジョイント
71    水漏れパッキン
【図１】
0003158602.tif 000003
【図２】
0003158602.tif 000004
【図３】
0003158602.tif 000005
【図４】
0003158602.tif 000006
【図５】
0003158602.tif 000007
【図６】
0003158602.tif 000008
【図７】
0003158602.tif 000009
【図８】
0003158602.tif 000010
【図９】
0003158602.tif 000011
【図１０】
0003158602.tif 000012
【図１１】
0003158602.tif 000013
【図１２】
0003158602.tif 000014